(57)【特許請求の範囲】
【請求項１】
基板と、前記基板に取り付けられ、ＥＭＩ（Ｅｌｅｃｔｒｏ  Ｍａｇｎｅｔｉｃ  Ｉｎｔｅｒｆｅｒｅｎｃｅ）放射ノイズの影響および静電気の影響を低減させる金属製のアースプレートとを備えるアースプレートの取り付け構造であって、
前記基板には、
フレームグランドと、
ＵＳＢケースグランドが設けられ、ＵＳＢ（Ｕｎｉｖｅｒｓａｌ  Ｓｅｒｉａｌ  Ｂｕｓ）ケーブルが接続されるＵＳＢ接続コネクタと、
ＬＡＮケースグランドが設けられ、ＬＡＮ（Ｌｏｃａｌ  Ａｒｅａ  Ｎｅｔｗｏｒｋ）ケーブルが接続されるＬＡＮ接続コネクタとが設けられており、
前記アースプレートは、
前記ＵＳＢケーブルを挿通させる第一の挿通孔、前記第一の挿通孔と間隔を開けて前記ＬＡＮケーブルを挿通させる第二の挿通孔、および前記基板に取り付けるための取り付け孔が設けられた第一の平板部と、
前記第一の平板部と連なって前記第一の平板部と垂直な方向に延びるようにして、前記第二の挿通孔が配置される領域に設けられた第二の平板部とを備え、
前記アースプレートは、前記第一の平板部を前記ＵＳＢケースグランド、前記ＬＡＮケースグランド、および前記フレームグランドに接触させ、前記第二の平板部を前記ＬＡＮケースグランドのうちの前記基板が位置する側と逆の側に接触させ、前記第一の挿通孔に前記ＵＳＢケーブルを挿通させて前記ＵＳＢ接続コネクタに前記ＵＳＢケーブルを接続可能とし、前記第二の挿通孔に前記ＬＡＮケーブルを挿通させて前記ＬＡＮ接続コネクタに前記ＬＡＮケーブルを接続可能とするよう、前記基板に取り付けられ、
前記アースプレートは、一枚の金属板を折り曲げて前記第一の平板部および前記第二の平板部が形成されており、
前記第一および第二の挿通孔の互いに隣接する縁部のうちの前記第二の挿通孔側の縁部には、前記第二の挿通孔側の縁部から前記第一の平板部の一部が垂直に折り曲げられた板状の補強部が形成されており、
前記補強部は、前記第二の平板部に垂直に形成されており、
前記補強部は、厚み方向に見て矩形状であって、一つの縁部が前記第二の平板部に対向している、アースプレートの取り付け構造。
【請求項２】
前記第二の平板部は、前記第二の挿通孔が配置される領域の縦方向の全域に亘って設けられている、請求項１に記載のアースプレートの取り付け構造。
【請求項３】
前記取り付け孔は、複数設けられている、請求項１または２に記載のアースプレートの取り付け構造。
【請求項４】
複数の前記取り付け孔が設けられる各々の間の長さは、周波数１２５ＭＨｚに対応する波長に共振しない長さである、請求項３に記載のアースプレートの取り付け構造。
【請求項５】
前記第一および第二の挿通孔の少なくともいずれか一方は、矩形状に開孔されている、請求項１〜４のいずれか１項に記載のアースプレートの取り付け構造。
【請求項６】
基板に取り付けられ、ＥＭＩ放射ノイズの影響および静電気の影響を低減させる金属製のアースプレートであって、
ＵＳＢケーブルを挿通させる第一の挿通孔、前記第一の挿通孔と間隔を開けてＬＡＮケーブルを挿通させる第二の挿通孔、および前記基板に取り付けるための取り付け孔が設けられた第一の平板部と、
前記第一の平板部と連なって前記第一の平板部と垂直な方向に延びるようにして、前記第二の挿通孔が配置される領域に設けられた第二の平板部とを備え、
前記アースプレートは、一枚の金属板を折り曲げて前記第一の平板部および前記第二の平板部が形成されており、
前記第一および第二の挿通孔の互いに隣接する縁部のうちの前記第二の挿通孔側の縁部には、前記第二の挿通孔側の縁部から前記第一の平板部の一部が垂直に折り曲げられた板状の補強部が形成されており、
前記補強部は、前記第二の平板部に垂直に形成されており、
前記補強部は、厚み方向に見て矩形状であって、一つの縁部が前記第二の平板部に対向している、アースプレート。
【請求項７】
画像を形成する画像形成部と、
前記画像形成部に供給する信号を制御する制御回路が実装された基板と、
請求項１〜５のいずれか１項に記載のアースプレートの取り付け構造とを備える、画像形成装置。
【発明の詳細な説明】
【技術分野】
【０００１】
この発明は、アースプレートの取り付け構造、アースプレート、および画像形成装置に関するものである。
【背景技術】
【０００２】
複合機等に代表される画像形成装置においては、画像データを基に、画像形成部に備えられる感光体に対して光を照射し、感光体上に静電潜像を形成する。その後、形成した静電潜像の上に帯電した現像剤を供給して可視画像とした後、用紙に転写して定着させ、装置外に排出して印刷する。
【０００３】
画像形成装置がプリンターとして用いられる場合、画像データについては、画像形成装置の外部から送信される。すなわち、イントラネット等のネットワークに接続されたコンピューターから、ネットワークを経由して画像形成装置に印刷要求の命令と共に画像データが送信される。また、画像形成装置には、ＵＳＢ（Ｕｎｉｖｅｒｓａｌ  Ｓｅｒｉａｌ  Ｂｕｓ）接続によりＵＳＢメモリ等の付属機器が接続されることも多々ある。そして、ＵＳＢメモリに格納された画像データから画像を形成することもある。もちろん、ＵＳＢケーブルにより接続されて電子機器から画像データを授受することもある。
【０００４】
画像形成装置には、外部との通信や付属機器の接続を可能にするために、種々のインターフェースが設けられている。具体的には、例えば、ＵＳＢメケーブルを接続するためのコネクタや、ネットワーク接続用のＬＡＮ（Ｌｏｃａｌ  Ａｒｅａ  Ｎｅｔｗｏｒｋ）ケーブルを接続するためのコネクタが設けられている。各コネクタは、画像形成装置の内方側に配置され、種々の制御回路等を実装したコントローラー基板（以下、単に「基板」と略す場合もある。）上に設けられている。基板には、制御部に含まれるＣＰＵ等が設けられている。
【０００５】
基板については、画像形成装置の不具合やトラブルの発生を回避するために、基板に侵入する静電気を防御する必要がある。また、同様の問題を回避するために、基板から外部へ放射するＥＭＩ（Ｅｌｅｃｔｒｏ  Ｍａｇｎｅｔｉｃ  Ｉｎｔｅｒｆｅｒｅｎｃｅ：電磁障害）放射ノイズの影響を低減させる必要がある。電磁波の遮蔽や電磁ノイズの問題の解消に関する技術が、特開２００５−１０１１７２号公報（特許文献１）、および特開２００８−１５３３６３号公報（特許文献２）に開示されている。
【０００６】
特許文献１に開示の電子機器のケーシング構造は、開口部を備えた筐体と、筐体の開口周縁部に装着されて、筐体と協同して電磁波遮断効果を発生させる電子機器支持体とから構成され、電子機器支持体が、開口部を覆う開口遮断部と、開口遮断部から筐体の開口周縁部に沿って折り曲げられた装着周縁部とを有する。そして、開口遮断部と装着周縁部との成す角が鈍角に設定され、電子機器支持体の装着状態において、開口周縁部と直接接触して電気的に接続される接続周縁部を、装着周縁部の少なくとも一部に備えることを特徴としている。
【０００７】
また、特許文献２に開示の電子機器によると、装置本体と、プリント基板上に電子回路部品が搭載された基板アッセンブリを収容するための開口部を具備し、フレームグランドがとられるようにして装置本体に取り付けられた、複数枚の基板アッセンブリを着脱可能な基板収納筐体と、基板収納筐体に収容された１枚もしくは複数枚の基板アッセンブリとを備えることとしている。そして、プリント基板の基板グランドは、基板収納筐体のフレームグランドと、第１の機構的な接触手段を介して電気的に接続されていることを特徴としている。
【先行技術文献】
【特許文献】
【０００８】
【特許文献１】特開２００５−１０１１７２号公報
【特許文献２】特開２００８−１５３３６３号公報
【発明の概要】
【発明が解決しようとする課題】
【０００９】
一般的には、上記した基板から放射されるＥＭＩ放射ノイズの影響を低減したり、基板に侵入する静電気を防御するために、シールドボックスが用いられる。このようなシールドボックスは、基板全体を覆うようにして基板上に取り付けられる。
【００１０】
しかし、シールドボックスは、基板全体を覆うような構成であるため、総じて部材自体の大きさが大きくなる。そうすると、結果としてコストアップにつながるおそれがある。
【００１１】
また、シールドボックスは、基板に設けられたフレームグランドと接触させて、静電気を逃す構成としている。そして、シールドボックスで基板全体を覆って、ＥＭＩ放射ノイズの影響を低減する構成としている。ここで、シールドボックスは、比較的大きな部材であるため、シールドボックスとフレームグランドとの隙間や繋ぎ目、さらには画像形成装置の筐体との隙間や開口部が多く生じてしまうこととなる。そうすると、その隙間の部分等で、特定の周波数が共振してしまい、結果としてノイズに対する耐性が低下してしまうおそれがある。上記した特許文献１および特許文献２に開示の技術では、このような問題に対応することができない。
【００１２】
この発明の目的は、より安価な構成で効率的に静電気の侵入を防ぐと共に、ＥＭＩ放射ノイズの影響を低減することができるアースプレートの取り付け構造を提供することである。
【００１３】
この発明の他の目的は、より安価な構成で効率的に静電気の侵入を防ぐと共に、ＥＭＩ放射ノイズの影響を低減することができるアースプレートを提供することである。
【００１４】
この発明のさらに他の目的は、より安価な構成で効率的に静電気の侵入を防ぐと共に、ＥＭＩ放射ノイズの影響を低減することができる画像形成装置を提供することである。
【課題を解決するための手段】
【００１５】
本願発明者は、ＥＭＩ放射ノイズの低減を図る観点から鋭意検討し、ＬＡＮ接続コネクタが設けられている部分から放射されるＥＭＩ放射ノイズが非常に多く存在することに着目した。そして、静電気の侵入の防御およびコストダウンの面も考慮して、本願発明を構成するに至った。
【００１６】
すなわち、この発明の一の局面において、アースプレートの取り付け構造は、基板と、基板に取り付けられ、ＥＭＩ（Ｅｌｅｃｔｒｏ  Ｍａｇｎｅｔｉｃ  Ｉｎｔｅｒｆｅｒｅｎｃｅ）放射ノイズの影響および静電気の影響を低減させる金属製のアースプレートとを備えるアースプレートの取り付け構造である。基板には、フレームグランドと、ＵＳＢ接続コネクタと、ＬＡＮ接続コネクタとが設けられている。ＵＳＢ接続コネクタは、ＵＳＢケースグランドが設けられ、ＵＳＢ（Ｕｎｉｖｅｒｓａｌ  Ｓｅｒｉａｌ  Ｂｕｓ）ケーブルが接続される。ＬＡＮ接続コネクタは、ＬＡＮケースグランドが設けられ、ＬＡＮ（Ｌｏｃａｌ  Ａｒｅａ  Ｎｅｔｗｏｒｋ）ケーブルが接続される。アースプレートは、第一の平板部と、第二の平板部とを備える。第一の平板部は、ＵＳＢケーブルを挿通させる第一の挿通孔、第一の挿通孔と間隔を開けてＬＡＮケーブルを挿通させる第二の挿通孔、および基板に取り付けるための取り付け孔が設けられている。第二の平板部は、第一の平板部と連なって第一の平板部と垂直な方向に延びるようにして、第二の挿通孔が配置される領域に設けられている。アースプレートは、第一の平板部をＵＳＢケースグランド、ＬＡＮケースグランド、およびフレームグランドに接触させ、第二の平板部をＬＡＮケースグランドのうちの基板が位置する側と逆の側に接触させ、第一の挿通孔にＵＳＢケーブルを挿通させてＵＳＢ接続コネクタにＵＳＢケーブルを接続可能とし、第二の挿通孔にＬＡＮケーブルを挿通させてＬＡＮ接続コネクタにＬＡＮケーブルを接続可能とするよう、基板に取り付けられる。アースプレートは、一枚の金属板を折り曲げて第一の平板部および第二の平板部が形成されている。第一および第二の挿通孔の互いに隣接する縁部のうちの第二の挿通孔側の縁部には、第二の挿通孔側の縁部から第一の平板部の一部が垂直に折り曲げられた板状の補強部が形成されている。補強部は、第二の平板部に垂直に形成されている。補強部は、厚み方向に見て矩形状であって、一つの縁部が第二の平板部に対向している。
【００１７】
この発明の他の局面においては、アースプレートは、基板に取り付けられ、ＥＭＩ放射ノイズの影響および静電気の影響を低減させる金属製のアースプレートである。アースプレートは、第一の平板部と、第二の平板部とを備える。第一の平板部は、ＵＳＢケーブルを挿通させる第一の挿通孔、第一の挿通孔と間隔を開けてＬＡＮケーブルを挿通させる第二の挿通孔、および基板に取り付けるための取り付け孔が設けられている。第二の平板部は、第一の平板部と連なって第一の平板部と垂直な方向に延びるようにして、第二の挿通孔が配置される領域に設けられている。アースプレートは、一枚の金属板を折り曲げて第一の平板部および第二の平板部が形成されている。第一および第二の挿通孔の互いに隣接する縁部のうちの第二の挿通孔側の縁部には、第二の挿通孔側の縁部から第一の平板部の一部が垂直に折り曲げられた板状の補強部が形成されている。補強部は、第二の平板部に垂直に形成されている。補強部は、厚み方向に見て矩形状であって、一つの縁部が第二の平板部に対向している。
【００１８】
この発明のさらに他の局面においては、画像形成装置は、画像を形成する画像形成部と、画像形成部に供給する信号を制御する制御回路が実装された基板と、上記したアースプレートの取り付け構造とを備える。
【発明の効果】
【００１９】
このようなアースプレートの取り付け構造によれば、第一の平板部とＵＳＢケースグランド、ＬＡＮケースグランド、およびフレームグランドとが接触するように取り付けられているため、ＵＳＢ接続コネクタ、およびＬＡＮ接続コネクタ付近に侵入する静電気をフレームグランドに効率的に流すことができる。そうすると、静電気を基板側に侵入しにくくすることができる。また、第二の平板部をＬＡＮケースグランドのうちの基板が位置する側と逆の側に接触させているため、ＬＡＮケースグランド側から放射されるＥＭＩ放射ノイズを低減させることができる。さらに、第二の平板部によって、ＬＡＮケースグランドのインピーダンスの低減を図ることもできる。また、アースプレートは基板の全面を覆う構成ではないため、コストダウンを図ることができる。したがって、このようなアースプレートの取り付け構造は、より安価な構成で効率的に静電気の侵入を防ぐと共に、ＥＭＩ放射ノイズの影響を低減することができる。
【００２０】
また、このようなアースプレートは、より安価な構成で効率的に静電気の侵入を防ぐと共に、ＥＭＩ放射ノイズの影響を低減することができる。
【００２１】
また、このような画像形成装置は、より安価な構成で効率的に静電気の侵入を防ぐと共に、ＥＭＩ放射ノイズの影響を低減することができる。
【図面の簡単な説明】
【００２２】
【図１】この発明の一実施形態に係る画像形成装置を複合機に適用した場合の複合機の外観を示す概略斜視図である。
【図２】この発明の一実施形態に係るアースプレートが取り付けられた基板を示す模式図である。
【図３】この発明の一実施形態に係るアースプレートの取り付け構造の一部を示す図である。
【図４】この発明の一実施形態に係るアースプレートの外観を示す斜視図である。
【図５】アースプレート単体を図１中の矢印Ｄ１で示す方向と逆の方向から見た図である。
【図６】アースプレート単体を図１中の矢印Ｄ２で示す方向から見た図である。
【図７】この発明の他の実施形態に係るアースプレートの外観を示す斜視図である。
【発明を実施するための形態】
【００２３】
以下、この発明の実施の形態を説明する。図１は、この発明の一実施形態に係る画像形成装置を複合機に適用した場合の複合機の外観を示す概略図である。図２は、後述する筐体１９内に設けられた基板２１を示す概略図である。なお、図２に示す基板２１においては、後述するアースプレート３０は、図示していない。また、図２において、筐体１９は、破線で概略的に図示している。図１中の矢印Ｄ１で示す方向で、装置のリア側からフロント側に向かう向きを示している。また、図１および図２中の矢印Ｄ２で示す方向で、装置の右側から左側に向かう向きを示している。
【００２４】
図１および図２を参照して、複合機１１は、画像処理に関し、複写機能、プリンター機能、ファクシミリ機能等、複数の機能を有する。複合機１１は、ＣＰＵを備える制御部１２と、操作部１３と、画像読み取り部１４と、画像を形成する画像形成部１５と、筐体１９とを備える。なお、図１において、制御部１２の構成については、一点鎖線で、画像形成部１５の構成については、二点鎖線で、基板２１については、破線でそれぞれ概略的に図示している。
【００２５】
制御部１２は、複合機１１全体の制御を行う。操作部１３は、複合機１１側から発信する情報やユーザーの入力内容をタッチパネル１７において表示する。また、操作部１３は、印刷部数や階調等の画像形成の条件や電源のオンまたはオフをユーザーに入力させる。画像読み取り部１４は、ＡＤＦ（Ａｕｔｏ  Ｄｏｃｕｍｅｎｔ  Ｆｅｅｄｅｒ：原稿搬送装置）１８または載置台上にセットされた原稿の画像を読み取る。画像形成部１５は、画像読み取り部１４により読み取られた画像やネットワーク（図示せず）を介して送信された画像データを基に、給紙カセット１６から給紙される用紙に画像を形成する。筐体１９は、複合機１１のいわゆる外枠を構成し、その内方側に、制御部１２や画像形成部１５、基板２１等を配置させる。基板２１には、制御回路（図示せず）等が実装されている。
【００２６】
さらに基板２１には、ケーブル（図示せず）を介して複合機１１外の電子機器等との接続のために用いられるインターフェースとしてのコネクタが複数設けられている。具体的には、基板２１には、ＵＳＢケーブルを接続する際に、ＵＳＢケーブル接続端子が嵌め込まれるＵＳＢケーブルコネクタ２２と、ＬＡＮケーブルを接続する際にＬＡＮケーブル接続端子が嵌め込まれるＬＡＮケーブルコネクタ２３とが設けられている。ＵＳＢケーブルコネクタ２２の外装部分には、金属製のＵＳＢケースグランド２４が設けられている。ＬＡＮケーブルコネクタ２３の外装部分には、金属製のＬＡＮケースグランド２５が設けられている。
【００２７】
また、基板２１には、その外周側に配置されるフレームグランド２６が設けられている。フレームグランド２６は、制御回路の基準電位となる。
【００２８】
基板２１は、筐体１９内において、複合機１１のリア側に立てて配置されている。また、ＵＳＢケーブルコネクタ２２およびＬＡＮケーブルコネクタ２３は、設けられたそれぞれの開口が複合機１１の右側側面に向くように設けられている。
【００２９】
ここで、基板２１のフレームグランド２６には、アースプレート３０が取り付けられている。次に、アースプレート３０の構成について説明する。
【００３０】
図３は、この発明の一実施形態に係るアースプレートの取り付け構造の一部を示す図であり、アースプレート３０が基板２１のフレームグランド２６に取り付けられた状態を示す斜視図である。図４は、この発明の一実施形態に係るアースプレート３０の外観を示す斜視図である。図５は、アースプレート３０単体を図１中の矢印Ｄ１で示す方向と逆の方向から見た図である。図６は、アースプレート３０単体を図１中の矢印Ｄ２で示す方向と逆の方向から見た図である。
【００３１】
図１〜図６を参照して、この発明の一実施形態に係るアースプレート３０は、第一の平板部３１と、第二の平板部３２と、補強部３３とを含む。第二の平板部３２は、第一の平板部３１と連なって第一の平板部３１に対して垂直な方向に延びるように設けられている。補強部３３は、第一の平板部３１の一部が第二の平板部３２と同じ方向に垂直に延びるように形成されている。具体的には、補強部３３は、後述する第二の挿通孔３４の上片の縁部から折り曲げられた、矩形の板状である。補強部３３は、第一の平板部３１に垂直であるとともに、第二の平板部３２に垂直であり、一方の縁部が第二の平板部３２に対向している。そして、第一の平板部３１、第二の平板部３２、および補強部３３は、一枚の金属板を折り曲げることにより形成される。
【００３２】
第一の平板部３１には、間隔を開けて、板厚方向に貫通する二つの挿通孔３４、３５が設けられている。第一の挿通孔３４は、矩形状に第一の平板部３１の一部を打ち抜くようにして設けられている。第二の挿通孔３５は、矩形状であって第二の平板部３２側に位置する一片の中央部分が第二の平板部３２側に入り込む形状であり、第一の平板部３１の一部を垂直に折り曲げて補強部３３を形成するようにして設けられている。第一の挿通孔３４および第二の挿通孔３５は、縦方向に間隔を開けて設けられている。
【００３３】
また、第一の平板部３１には、アースプレート３０を基板２１のフレームグランド２６に取り付けるための一対の取り付け孔３６ａ、３６ｂが、それぞれ縦方向に所定の間隔を開けて設けられている。一対の取り付け孔３６ａ、３６ｂは、第一の平板部３１の横方向において、第二の平板部３２が設けられている位置と逆の位置に設けられている。一対の取り付け孔３６ａ、３６ｂは、アースプレート３０を基板２１のフレームグランド２６に取り付ける際に、ビスを挿通させる。さらに第一の平板部３１には、アースプレート３０の取り付け時における位置決めのための一対の位置決め孔３７ａ、３７ｂも、それぞれ縦方向に所定の間隔を開けて設けられている。一対の位置決め孔３７ａ、３７ｂは、アースプレート３０を基板２１のフレームグランド２６に取り付ける際に、フレームグランド２６に設けられた一対の突出部２７ａ、２７ｂを挿通させる。なお、位置決め孔３７ａと取り付け孔３６ａとの縦方向の間には、第一の平板部３１を内方側に凹ませた凹部３８が設けられている。アースプレート３０を基板２１のフレームグランド２６に取り付けた際に、凹部３８の位置と、フレームグランド２６に設けられた開口２８との位置が一致するよう構成されている。
【００３４】
次に、この発明の一実施形態に係るアースプレート３０の取り付け構造２９について説明する。図３を参照して、アースプレート３０の取り付け構造２９は、上記した構成の基板２１のフレームグランド２６と、フレームグランド２６に取り付けられ、ＥＭＩ放射ノイズの影響および静電気の影響を低減させる金属製の上記したアースプレート３０とを備える。
【００３５】
ここで、アースプレート３０は、第一の平板部３１をＵＳＢケースグランド２４、ＬＡＮケースグランド２５、およびフレームグランド２６に接触させて取り付けられている。具体的には、一対の位置決め孔３７ａ、３７ｂをそれぞれ一対の突出部２７ａ、２７ｂに合わせ、一対の取り付け孔３６ａ、３６ｂを用いてビス３９ａ、３９ｂによるビス止めにより取り付けられる。また、アースプレート３０は、第二の平板部３２をＬＡＮケースグランド２５のうちの基板２１が位置する側と逆の側に接触させて取り付けられている。この場合、アースプレート３０に設けられた第二の平板部３２は、第二の挿通孔３５が配置される領域２０の縦方向の全域に亘って設けられる。アースプレート３０は、第一の挿通孔３４にＵＳＢケーブルを挿通させてＵＳＢケーブルコネクタ２２にＵＳＢケーブルを接続可能としている。アースプレート３０は、第二の挿通孔３５にＬＡＮケーブルを挿通させてＬＡＮケーブルコネクタ２３にＬＡＮケーブルを接続可能としている。また、補強部３３は、ＬＡＮケースグランド２５の上面に対向して設けられている。補強部３３により、第一の平板部３１の強度を高めることができる。また、補強部３３は、ＬＡＮケースグランド２５の上面に対向して設けられるため、ＬＡＮケーブルの着脱などの際にＬＡＮケーブルコネクタ２３が上下方向に捻じれるのを規制することができる。また、補強部３３は、第一の平板部３１の第二の挿通孔３５に対応する部分で形成されるため、アースプレート３０の材料費が増えることもない。
【００３６】
このようなアースプレート３０の取り付け構造２９によれば、第一の平板部３１とＵＳＢケースグランド２４、ＬＡＮケースグランド２５、およびフレームグランド２６とが接触するように取り付けられているため、ＵＳＢケーブルコネクタ２２、およびＬＡＮケーブルコネクタ２３付近に侵入する静電気をフレームグランド２６に効率的に流すことができる。そうすると、静電気を基板２１側に侵入しにくくすることができる。また、第二の平板部３２をＬＡＮケースグランド２５のうちの基板２１が位置する側と逆の側に接触させているため、ＬＡＮケースグランド２５側から放射されるＥＭＩ放射ノイズを低減させることができる。さらに、第二の平板部３２によって、ＬＡＮケースグランド２５のインピーダンスの低減を図ることもできる。また、アースプレート３０は基板２１の全面を覆う構成ではないため、コストダウンを図ることができる。したがって、このようなアースプレート３０の取り付け構造２９は、より安価な構成で効率的に静電気の侵入を防ぐと共に、ＥＭＩ放射ノイズの影響を低減することができる。
【００３７】
この場合、アースプレート３０に設けられた第二の平板部３２は、第二の挿通孔３５が配置される領域２０の縦方向の全域に亘って設けられているため、より確実にＥＭＩ放射ノイズの影響の低減を図ることができる。すなわち、ＬＡＮケーブルコネクタ２３が設けられている部分から放射される非常に多くのＥＭＩ放射ノイズを効率的に低減させることができる。
【００３８】
なお、このようなアースプレート３０は、より安価な構成で効率的に静電気の侵入を防ぐと共に、ＥＭＩ放射ノイズの影響を低減することができる。
【００３９】
また、このような複合機１１は、より安価な構成で効率的に静電気の侵入を防ぐと共に、ＥＭＩ放射ノイズの影響を低減することができる。
【００４０】
なお、上記の実施の形態において、アースプレート３０は、左右対称の構成であってもよい。図７は、この場合のアースプレートの外観を示す斜視図である。図７は、図４に対応する。
【００４１】
図７を参照して、この発明の他の実施形態に係るアースプレート４０の取り付け構造に含まれるアースプレート４０は、第一の平板部４１と、第二の平板部４２と、補強部４３と、第一の挿通孔４４と、第二の挿通孔４５と、一対の取り付け孔４６ａ、４６ｂと、一対の位置決め孔４７ａ、４７ｂと、凹部４８とが設けられている。図７に示すアースプレート４０は、図４に示すアースプレートと、左右対称の構成である。このような構成とすることにより、ＵＳＢケーブルコネクタ２２およびＬＡＮケーブルコネクタ２３の開口が複合機１１の左側側面に向くように設けられている場合にも、対応することができる。
【００４２】
なお、上記の実施の形態において、一対の取り付け孔３６ａ、３６ｂの間隔については、共振しない長さとすることが好ましい。こうすることにより、よりＥＭＩ放射ノイズに対する耐性を上げることができる。ここでいう特定の周波数としては、例えば、複合機１１のデバイスに多用される１２５ＭＨｚの周波数が挙げられる。そして、この周波数に対応する波長λに対して、例えば、１／２λといった定倍とならないような長さとする。アースプレート３０を構成する各部分の長さについても、このような長さにすることが好ましい。
【００４３】
また、上記の実施の形態において、取り付け孔を一つとしても良いし、三つ以上設けることにしてもよい。なお、位置決め孔の個数や凹部の有無についても、状況に応じて任意に設けられる。
【００４４】
なお、上記の実施の形態において、第一および第二の挿通孔は、矩形状に開孔することとしたが、これに限らず、他の形状であっても構わない。
【００４５】
また、上記の実施の形態において、第二の平板部は、第二の挿通孔が配置される領域の縦方向の全域に亘って設けられていることとしたが、これに限らず、全域に亘って設けられていなくともよい。
【００４６】
なお、上記の実施の形態において、第一および第二の挿通孔の互いに隣接する縁部の少なくとも一方には、第一の平板部の一部が垂直に折り曲げられた板状の補強部が形成され、補強部は、第二の平板部に垂直に形成されているよう構成してもよい。
【００４７】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４８】
この発明に係るアースプレートの取り付け構造、アースプレート、および画像形成装置は、より安価な構成で効率的な静電気の侵入の防御、およびＥＭＩ放射ノイズの影響の低減が要求される場合に、特に有効に利用される。
【符号の説明】
【００４９】
１１  複合機、１２  制御部、１３  操作部、１４  画像読み取り部、１５  画像形成部、１６  給紙カセット、１７  タッチパネル、１８  ＡＤＦ、１９  筐体、２０  領域、２１  基板、２２  ＵＳＢケーブルコネクタ、２３  ＬＡＮケーブルコネクタ、２４  ＵＳＢケースグランド、２５  ＬＡＮケースグランド、２６  フレームグランド、２７ａ，２７ｂ  突出部、２８  開口、２９  アースプレートの取り付け構造、３０，４０  アースプレート、３１，４１  第一の平板部、３２，４２  第二の平板部、３３，４３  補強部、３４，４４  第一の挿通孔、３５，４５  第二の挿通孔、３６ａ，３６ｂ，４６ａ，４６ｂ  取り付け孔、３７ａ，３７ｂ，４７ａ，４７ｂ  位置決め孔、３８，４８  凹部、３９ａ，３９ｂ  ビス。
【図１】
0006583162.tif 000002
【図２】
0006583162.tif 000003
【図３】
0006583162.tif 000004
【図４】
0006583162.tif 000005
【図５】
0006583162.tif 000006
【図６】
0006583162.tif 000007
【図７】
0006583162.tif 000008